(57)【特許請求の範囲】
【請求項１】
筐体内で利用者が自ら撮影した撮影情報を、前記筐体に隣接された編集装置で利用者が自ら編集する撮影装置であって、
前記筐体は、利用者を囲むように配置され、
前記筐体内に位置する利用者を複数の角度から撮影可能な撮影部と、
前記筐体内に設けられ、前記撮影部が撮影して取得した複数の前記角度に対応した各撮影位置からの各撮影情報を、利用者に撮影時に視認可能に出力する１つの表示部とを備え、
前記撮影部は、
前記筐体内の利用者の位置である撮影中心を中心とし水平面内の円周上の所定間隔を隔てた複数の撮影位置に配置された複数の撮影機を備え、
複数の前記撮影機を前記円周の所定の周方向の順番に順次撮影動作させて、前記利用者を前記各撮影位置から撮影し、前記各撮影位置の前記各撮影情報を取得可能であり、
前記表示部は、前記各撮影位置の前記各撮影情報を、前記円周の所定の周方向の順番に順次表示し、
利用者が撮影位置に位置した状態で、利用者が前記撮影部及び前記表示部を操作可能な操作手段を備えること、
を特徴とする撮影装置。
【請求項２】
請求項１に記載の撮影装置において、
前記操作手段は、
前記筐体内で発せられた音声を認識する音声認識部と、
前記音声認識部の出力に応じて、前記撮影部及び前記表示部を制御する制御部とを備えること、
を特徴とする撮影装置。
【請求項３】
請求項１又は請求項２に記載の撮影装置において、
前記筐体内の上部に前記撮影中心を囲むように配置され、前記撮影中心に位置する利用者に向けて上側周囲から光を発する上部照明部と、
前記筐体内の下部に前記撮影中心を囲むように配置され、前記撮影中心に位置する利用者に向けて下側周囲から光を発する下部照明部とを備えること、
を特徴とする撮影装置。
【請求項４】
請求項１から請求項３までのいずれか１項に記載の撮影装置において、
前記撮影情報は、静止画に関する情報であること、
を特徴とする撮影装置。
【請求項５】
請求項１から請求項４までのいずれか１項に記載の撮影装置において、
前記撮影部が撮影した各撮影位置からの各撮影情報を順次取り込んで、前記表示部に出力する制御部を備えること、
を特徴とする撮影装置。
【請求項６】
請求項１から請求項５までのいずれか１項に記載の撮影装置において、
前記撮影機は、光軸が前記撮影中心に向けられること、
を特徴とする撮影装置。
【請求項７】
請求項１から請求項６までのいずれか１項に記載の撮影装置において、
前記撮影部は、前記撮影機の光軸が前記撮影中心の方向を向くように調整する調整機構を備えること、
を特徴とする撮影装置。
【請求項８】
請求項１から請求項７までのいずれか１項に記載の撮影装置において、
前記筐体は、前記撮影中心に位置する利用者を囲むように配置され、利用者側の壁面が単一色に彩色された壁部を備えること、
を特徴とする撮影装置。
【発明の詳細な説明】
【技術分野】
【０００１】
本発明は、利用者が自らを被写体として撮影するのに適した撮影装置に関するものである。
【背景技術】
【０００２】
従来より、ゲームコーナー等において、利用者を撮影し、モニタに表示した撮影画像にいたずら書きを加え、印刷して出力する撮影装置（いわゆるプリントシール機）があった（例えば特許文献１）。また、一部の撮影装置においては、その撮影画像を携帯電話機に送信して、携帯電話機のモニタに撮影画像を出力することが行われている。
しかし、これらの撮影装置は、撮影方法や撮影画像の出力が単純であるため、目新しさがなくなってきている。
【先行技術文献】
【特許文献】
【０００３】
【特許文献１】特開２００５−３２６４３５号公報
【発明の概要】
【発明が解決しようとする課題】
【０００４】
本発明の課題は、利用者を新しい撮影方法で撮影し、撮影画像の出力方法の面白さを向上した撮影装置を提供することである。
【課題を解決するための手段】
【０００５】
本発明は、以下のような解決手段により、課題を解決する。なお、理解を容易にするために、本発明の実施例に対応する符号を付して説明するが、これに限定されるものではない。
【０００６】
・第１の発明は、利用者を囲むように配置された筐体と、前記筐体内に位置する利用者を複数の角度から撮影可能な撮影部と、前記筐体内に設けられ、前記撮影部が撮影して取得した複数の前記角度に対応した各撮影位置からの各撮影情報を、利用者に撮影時に視認可能に出力する１つの表示部とを備え、前記撮影部は、前記筐体内の利用者の位置である撮影中心を中心とし水平面内の円周上の所定間隔を隔てた複数の撮影位置に配置された複数の撮影機を備え、複数の前記撮影機を前記円周の所定の周方向の順番に順次撮影動作させて、前記利用者を前記各撮影位置から撮影し、前記各撮影位置の前記各撮影情報を取得可能であり、前記表示部は、前記各撮影位置の前記各撮影情報を、前記円周の所定の周方向の順番に順次表示すること、を特徴とする撮影装置である。
・第２の発明は、第１の発明の撮影装置において、前記筐体内の上部に前記撮影中心を囲むように配置され、前記撮影中心に位置する利用者に向けて上側周囲から光を発する上部照明部と、前記筐体内の下部に前記撮影中心を囲むように配置され、前記撮影中心に位置する利用者に向けて下側周囲から光を発する下部照明部とを備えること、を特徴とする撮影装置である。
・第３の発明は、第１又は第２の発明の撮影装置において、前記撮影情報は、静止画に関する情報であること、を特徴とする撮影装置である。
・第４の発明は、第１から第３までのいずれかの発明の撮影装置において、前記撮影部が撮影した各撮影位置からの各撮影情報を順次取り込んで、前記表示部に出力する制御部を備えること、を特徴とする撮影装置である。
・第５の発明は、第１から第４までのいずれかの発明の撮影装置において、前記撮影機は、光軸が前記撮影中心に向けられること、を特徴とする撮影装置である。
・第６の発明は、第１から第５までのいずれかの発明の撮影装置において、前記撮影部は、前記撮影機の光軸が前記撮影中心の方向を向くように調整する調整機構を備えること、を特徴とする撮影装置である。
・第７の発明は、第１から第６までのいずれかの発明の撮影装置において、前記筐体内で発せられた音声を認識する音声認識部と、前記音声認識部の出力に応じて、前記撮影部及び前記表示部の少なくとも１つを制御する制御部とを備えること、を特徴とする撮影装置である。
・第８の発明は、第１から第７までのいずれかの発明の撮影装置において、前記筐体は、前記撮影中心に位置する利用者を囲むように配置され、利用者側の壁面が単一色に彩色された壁部を備えること、を特徴とする撮影装置である。
・第９の発明は、第１から第８までのいずれかの発明の撮影装置において、複数の前記撮影位置の撮影情報を、通信網を介して接続されたサーバに送信可能な送信部を備えること、を特徴とする撮影装置である。
・第１０の発明は、第１から第９までのいずれかの発明の撮影装置において、複数の前記撮影位置の撮影情報を、情報通信端末に送信可能な端末送信部を備えること、を特徴とする撮影装置である。
【発明の効果】
【０００７】
本発明によれば、以下の効果を奏することができる。
（１）本発明は、複数の撮影位置から取得した撮影情報を１つの表示部に表示するので、例えば複数の撮影情報を並べて表示したり順次表示する等、表示態様を多様にすることができる。また、利用者に撮影時に視認可能に出力するので、利用者は、撮影しながら撮影情報を確認でき、撮り直し等の判断を容易に行うことができる。
（２）本発明は、制御部が各撮影情報を順次取り込むので、時間当たりの処理能力が例えば同時に取り込む場合に比較して少なくても、各撮影情報を取り込むことができる。
（３）本発明は、撮影機が撮影中心を中心とした円周上の複数の撮影位置に配置又は移動可能なので、撮影中心に位置する利用者を複数の角度から撮影することができる。
【０００８】
（４）本発明は、撮影機の光軸が撮影中心に向いているので、撮影中心に位置する利用者を、撮影画面の中央に配置して複数の角度から撮影することができる。
（５）本発明は、撮影位置が水平面の円周上であるので、直立している利用者を周囲から撮影することができるため、利用者の前後左右等からの撮影情報を取得することができる。
（６）本発明は、撮影機が各撮影位置に配置されているので、同時に撮影情報を取得することができる。
【０００９】
（７）本発明は、撮影機を各撮影位置へと移動させるので、撮影機の数が少なくてもより多くの撮影位置からの撮影情報を取得することができるため、コスト削減を図ることができる。
（８）本発明は、撮影情報を所定の周方向の順番に所定時間毎に取得するので、例えば手の上下動作等、動作している利用者の撮影情報を取得することができる。
（９）本発明は、各撮影情報を順次表示することにより、利用者を断続的に所定角度ずつ回転させて表示していわゆるパラパラ漫画のように表示することができ、面白い態様で表現することができる。
【００１０】
（１０）本発明は、撮影機の光軸が撮影中心の方向を向くように自動的に調整可能なので、光軸調整に関するメンテナンスの手間を省くことができる。
（１１）本発明は、音声により撮影部、表示部を制御できるので、利用者は、表示部を視認しながら音声による指示のみで撮影を進行することができる。つまり、利用者は、操作ボタン等を操作する必要がないので、例えば撮影中心に位置した状態のまま撮影部、表示部を操作することができる。
（１２）本発明は、上部照明部及び下部照明部が、撮影中心に位置する利用者に向けて、上側周囲及び下側周囲から光を発するので、利用者の背後に影を生じさせずに撮影することができる。また、複数の撮影位置から利用者を均一な明るさで照らすことができるので、利用者の複数の撮影情報を均一な明るさで取得でき、撮影情報を出力する場合に自然な態様で表現することができる。
【００１１】
（１３）本発明は、クロマキー処理により背景画像を削除することができる。また、上記（１１）の上部照明部及び下部照明部を備えることにより、壁部に影を映すことがないので、背景削除の画像処理（例えばクロマキー処理等）を精度よく行うことができる。
（１４）本発明は、回転テーブルを備え利用者を回転することができるので、撮影機の数が少なくても、複数の角度から利用者の撮影画像を取得することができる。
（１５）本発明は、複数の撮影位置からの撮影情報をサーバに送信可能なので、通信網を活用した撮影情報の利用、例えば撮影情報を通信網を介して情報通信端末に送信したり、ＷＥＢ上で公開することができる。
【００１２】
（１６）本発明は、撮影情報を情報通信端末に送信可能なので、利用者は、撮影情報を、情報通信端末の表示装置に出力したり、情報通信端末で編集することができる。
（１７）本発明は、通信網をサーバから情報通信端末に送信することができるので、利用者は、撮影情報を、情報通信端末の表示装置に出力したり、情報通信端末で編集することができる。
（１８）本発明は、撮影情報をサーバに記憶することができるので、例えば情報通信端末の要求に応じて、撮影情報を情報通信端末に送信することができる。
【図面の簡単な説明】
【００１３】
【図１】第１実施形態の撮影システムの斜視図である。
【図２】第１実施形態の撮影室内のカメラ配置を説明する図である。
【図３】第１実施形態の撮影情報の通信システムのブロック図である。
【図４】第１実施形態の撮影室の構成を示す斜視図である。
【図５】第１実施形態の照明装置の配置を説明する図である。
【図６】第１実施形態のプレビューモニタの斜視図である。
【図７】第１実施形態のプレビューモニタの表示例である。
【図８】第１実施形態のプレビューモニタの表示例である。
【図９】第１実施形態の落書き装置の落書き用モニタと落書きペンとを示す図である。
【図１０】第１実施形態の落書きについて説明する図である。
【図１１】第１実施形態の撮影情報及び背景画像にさらに落書きデータを追加して出力した例である。
【図１２】第１実施形態のカメラの１つを拡大して示す斜視図である
【図１３】第２実施形態の撮影室の斜視図である。
【図１４】第３実施形態の撮影室の斜視図である。
【図１５】第４施形態の撮影室の斜視図である。
【図１６】第５実施形態の撮影システムのブロック図である。
【発明を実施するための形態】
【００１４】
（第１実施形態）
以下、図面等を参照して、本発明の第１実施形態について説明する。
最初に、本実施形態の撮影システム１の構成の概略を説明する。
図１は、第１実施形態の撮影システム１の斜視図である。
図２は、第１実施形態の撮影室１０内のカメラ配置を説明する図であり、図２（ａ）は、上面図、図２（ｂ）は、斜視図である。
撮影システム１は、撮影室１０（筐体）及び落書き装置２０を備えている。撮影室１０は、外壁が円筒状又は多角形の筒状に形成され、撮影室１０の水平面（図中ＸＹ平面）における直径が２ｍ程度、鉛直方向（図中矢印Ｚ方向）の高さが２ｍ程度の大型の装置である。
【００１５】
図１、図２に示すように、撮影室１０の内部には、２４台のカメラ１１（撮影機）と、プレビューモニタ１２（表示部）と、内壁１３とが設置されている。以下、カメラ１１については、必要に応じて枝番号（１１−１〜１１−２４）を付して説明する。
カメラ１１は、ＣＣＤ（Ｃｈａｒｇｅ  Ｃｏｕｐｌｅｄ  Ｄｅｖｉｃｅ）等の撮像素子を備えたデジタルカメラである。図２に示すように、カメラ１１は、撮影室１０の中心（軸）Ｃ（撮影中心）を中心とした水平面（ＸＹ平面）内の同一円周上の位置（撮影位置）に配置されている。カメラ１１−１〜１１−２４は、等間隔つまり中心Ｃを中心に１５°間隔に、円環状のフレーム１１ａの上に設置されている。２４台のカメラ１１−１〜１１−２４は、光軸が中心Ｃを向くように配置されており、撮影室１０の中心Ｃに位置する利用者Ｕを、同時に又は所定の時間差（所定時間）毎に、複数の撮影角度から撮影を行うことができる。
以上の構成により、カメラ１１−１〜１１−２４は、直立している利用者Ｕを周囲から同時に又は所定の時間差毎に撮影し、各撮影位置からの利用者Ｕの静止画の撮影情報（撮影画像）を取得（撮影）することができる。
【００１６】
プレビューモニタ１２は、撮影時に２４台のカメラ１１−１〜１１−２４の撮影画像（撮影情報）を利用者Ｕが確認するためのＬＣＤ（液晶表示装置）等の表示装置である。プレビューモニタ１２は、利用者Ｕが撮影中に視認できるように、表示画面が中心Ｃを向くように、撮影室１０内に設置されている（図１参照）。
内壁１３は、カメラ１１よりも内側に設けられ、利用者Ｕを全周囲うような円筒状に形成されている。内壁１３には、撮影用の２４つの撮影穴１３ａが各カメラ１１−１〜１１−２４に対応して設けられている。また、内壁１３は、その内壁面１３ｂつまり利用者Ｕ側の壁面が緑色又は青色の単一色に彩色されている。この彩色は、制御部４０（後述する）が撮影情報から利用者Ｕの背景を削除するクロマキー処理を容易にするためである。
【００１７】
カメラ１１によって撮影された撮影情報は、落書き装置２０に送信される。
落書き装置２０は、撮影室１０に隣接して配置されている。落書き装置２０は、利用者Ｕが操作することにより、受信した撮影情報を編集して、背景画像の入れ替え、画像への文字等の書き込み、撮影情報の出力方法の設定等を行うことができる。落書き装置２０は、後述するように落書き用モニタ２１及び落書きペン２２が設けられている。
撮影情報の出力は、例えば、携帯電話機４８（図３参照）への送信、複数角度からの画像のシール付きのシートへの印刷等のなかから選択することができる。
【００１８】
図３は、第１実施形態の撮影情報の通信システム１００のブロック図である。
撮影情報の通信システム１００は、撮影システム１と、撮影システム１にインターネット等の通信網４９により接続されたサーバ５０等とから構成される。撮影システム１とサーバ５０とは、通信網４９により基地局４７に接続されている。基地局４７は、利用者Ｕが所有する携帯電話機４８との間で、無線によりデータの送受信を行うことができる。これにより、撮影システム１とサーバ５０とからなる通信システム１００は、撮影情報を携帯電話機４８（情報通信端末）に送信することができる。
【００１９】
撮影システム１は、撮影室１０に設けられたカメラ１１及びプレビューモニタ１２と、マイク１５と、落書き装置２０に設けられた落書き用モニタ２１及び落書きペン２２（図１参照）と、通信回路３１、記憶部３５及び制御部４０とを備えている。なお、通信回路３１、記憶部３５及び制御部４０は、例えば落書き装置２０内部に収容してもよいし、別途設置された専用ケース（図示せず）内に収容してもよい。
【００２０】
プレビューモニタ１２は、制御部４０から出力された撮影情報を表示する。利用者Ｕは、プレビューモニタ１２を視認することにより、写り具合やポーズを確認して、再撮影するか否かの判断を容易に行うことができる。プレビューモニタ１２には、回転表示（後述する）等をすることができる。
【００２１】
マイク１５は、利用者Ｕがカメラ１１を操作するための音声を入力するために、撮影室１０内に設けられた音声入力部である。マイク１５は、撮影画像に写り込まないように、撮影室１０の天井に吊り下がるように設置されている（図４参照）。利用者Ｕに発せられマイク１５に入力された音声は、電気信号に変換されて制御部４０へ出力され、制御部４０がこの電気信号に基づいて音声認識を行いカメラ１１、プレビューモニタ１２等を制御する。
マイク１５への音声入力の例は、以下の通りである。
タイマースタート：撮影開始までのタイマー（例えば１０秒程度）を開始するための命令である。
タイマーストップ：タイマーを停止するための命令である。
回転左（又は回転右）：撮影画像をプレビューモニタ１２に回転表示（後述する）する場合の回転方向を指定するための命令である。
タイムシフト：回転表示する場合の表示間隔を設定するための命令である。
このように、撮影システム１は、音声によりカメラ１１、プレビューモニタ１２を制御できるので、利用者Ｕは、プレビューモニタ１２を視認しながら音声による指示のみで撮影を進行することができる。つまり、利用者Ｕは、操作ボタン等を操作する必要がなく、中心Ｃに位置した状態のまま撮影を進行することができる。
なお、これら制御部４０への命令は、プレビューモニタ１２の操作ボタン１２ｂ（後述する図６参照）や、図示しないリモコン等によるものでよい。
【００２２】
カメラ１１は、ＵＳＢ（ユニバーサル  シリアル  バス）ケーブル等により落書き装置２０に電気的に接続されており、撮影情報を制御部４０に出力する。
落書き用モニタ２１は、例えば電磁誘導方式によるペンタブレットにＬＣＤを重ね合わせた液晶タブレットである。落書き用モニタ２１には、撮影画像が表示され、利用者Ｕは、落書き用モニタ２１に落書きペン２２の先端を接触させることにより、撮影画像に文字、図形等を追加することができる。また、落書き用モニタ２１には、液晶タブレットの他、抵抗皮膜方式、静電容量方式等のタッチパネル等も利用することができる。
【００２３】
制御部４０は、撮影システム１を統括的に制御するための制御部であり、例えばＣＰＵ（中央処理装置）等から構成される。制御部４０は、記憶部３５に記憶された各種プログラムを適宜読み出して実行することにより、上述したハードウェアと協働し、本発明に係る各種機能を実現している。
なお、制御部４０は、後述する落書き処理のために、撮影情報から撮影時の背景を削除した上で、撮影情報を記憶部３５に一時的に記憶する。背景は、クロマキー処理によって背景の大部分を削除され、さらに差分処理により背景に写りこんでいる撮影穴１３ａ及びプレビューモニタ１２が削除される。差分処理とは、利用者Ｕがいない状態で撮影画像を撮影し、この撮影情報と利用者Ｕの撮影情報とを比較して共通する情報を抽出して、この共通した情報を利用者Ｕの撮影情報から削除することをいう。撮影穴１３ａ及びプレビューモニタ１２の画像は、利用者Ｕの有無に関わらず撮影情報に共通して含まれるので、利用者Ｕを撮影した撮影情報からこの共通したデータを削除することにより、利用者Ｕを撮影した撮影画像から撮影穴１３ａ及びプレビューモニタ１２の画像を削除することができる。
このように、制御部４０は、クロマキー処理によって背景の大部分を削除した後に、差分処理により撮影穴１３ａ等を削除することにより、背景処理を容易にして処理時間を短縮することができる。
【００２４】
サーバ５０は、通信回路５１と、記憶部６０と、制御部７０とを備えている。
通信回路５１は、通信網４９等を介して、携帯電話機４８と撮影システム１との間で、撮影情報及び撮影情報に関連した情報等を送受信するための電気回路である。
記憶部６０は、サーバ５０の動作に必要なプログラム、情報等を記憶するためのハードディスクの記憶装置である。また、記憶部６０は、撮影システム１から送信された撮影情報等を記憶する記憶領域を有している。
【００２５】
制御部７０は、サーバ５０を統括的に制御するための制御部であり、例えばＣＰＵ等から構成される。制御部７０は、記憶部６０に記憶された各種プログラムを適宜読み出して実行することにより、上述したハードウェアと協働し、本発明に係る各種機能を実現している。
制御部７０は、通信回路５１を制御して撮影システム１や携帯電話機４８との間で撮影情報の送受信を行ったり、また記憶部６０を制御して撮影情報の記憶に関する処理を行う。
利用者Ｕの所有する携帯電話機４８は、モニタ４８ａを備えた音声端末である。携帯電話機４８は、ＪＡＶＡ（登録商標）等で作成された再生プログラムや、ＦＬＡＳＨ（登録商標）ＰＬＡＹＥＲ等の再生ソフトが組み込まれている。携帯電話機４８は、これらの再生プログラム等を活用して、基地局４７を介してサーバ５０又は撮影システム１から受信した撮影情報を、モニタ４８ａに出力することができる。
【００２６】
次に、図４、図５を参照して撮影システム１の構成を詳細に説明する。
図４は、第１実施形態の撮影室１０の構成を示す斜視図である。
図５は、第１実施形態の照明装置の配置を説明する図である（床１２３の図示は、省略する）。
図４に示すように、撮影室１０は、内壁面１３ｂと、上部照明装置１１０と、下部照明装置１２０とを備えている。
【００２７】
図４、図５に示すように、上部照明装置１１０は、４つの円形照明１１１Ａ〜１１１Ｄと、４つの直方体の照明１１２Ａ〜１１２Ｄとが交互に配置される。円形照明１１１Ａ〜１１１Ｄは、円盤形のケース内に、照明源として、例えば円環形の蛍光灯を収容し、直方体の照明１１２Ａ〜１１２Ｄは、直方体のケース内に、照明源として、例えば円柱形の蛍光灯を収容している。また、これらの照明源は、半透明な乳白色の樹脂等のカバーによって覆われており、照明源からの光は、拡散されて利用者Ｕに到達し、利用者Ｕをソフトに照らすことができる。
【００２８】
図５に示すように、撮影室１０内上部には、撮影室１０の中心Ｃを中心とする円環上のフレーム１１３が設けられており、円形照明１１１Ａ〜１１１Ｄと直方体の照明１１２Ａ〜１１２Ｄとは、このフレーム１１３に吊り下がるように設けられている。これにより、円形照明１１１Ａ〜１１１Ｄと直方体の照明１１２Ａ〜１１２Ｄとは、利用者Ｕの上側であって利用者Ｕが位置する領域よりも外側に配置され、利用者Ｕに向けて上側周囲から光を発することができる。
【００２９】
下部照明装置１２０は、上部照明装置１１０と同様な構成であり、図４に示すように床１２３よりも下に設けられている。床１２３は、光を透過する材質（樹脂、ガラス等）により形成される。これにより、下部照明装置１２０は、利用者Ｕに向けて下側周囲から光を発することができる。
【００３０】
このように、本実施形態の撮影室１０は、上部照明装置１１０及び下部照明装置１２０を備え、利用者Ｕを上側及び下側から周囲から照らすことにより、利用者Ｕを陰影が出ないように照らすことができる。このため、撮影システム１は、利用者Ｕの複数の撮影情報を均一な明るさで取得でき、撮影画像をプレビューモニタ１２に出力する場合により自然な態様で表現することができる。
【００３１】
また、内壁面１３ｂを全周に渡って均一に照らすことができるので、撮影画像の背景画像の削除等の処理を、容易に行うことができる。
ところで、従来のプリントシール機の撮影室は、カメラが設置された内壁面に照明装置が配置されていた。
しかし、第１実施形態の撮影室１０で内壁面１３ｂに照明装置を配置した場合には、撮影穴１３ａが壁１３全周に所定間隔で設けられているので、撮影画面に照明装置が映り込んでしまい、また利用者Ｕの影が背後の内壁面１３ｂに映ってしまうために、内壁面１３ｂの明るさが均一な撮影画像を撮影することができない。
【００３２】
一方、利用者Ｕの背景画像を削除するために、例えばクロマキー処理等の画像処理をする必要があるが、この画像処理には、背景画像を均一な緑色、青色にすることが好適である。第１実施形態の撮影室１０は、前述したように上部照明装置１１０と下部照明装置１２０とを設けることにより、撮影画面に上部照明装置１１０と下部照明装置１２０とが映り込むことがなく、内壁面１３ｂを画像処理に好適な緑色、青色に彩色することができ、また利用者Ｕの影が内壁面１３ｂに映ることがないので、内壁面１３ｂを均一な明るさにすることができるため、この画像処理を精度よく行うことができる。
また、利用者の背後に照明装置が映り込む場合には、逆光となってしまい露出制御が困難になるが、第１実施形態の撮影室１０は、照明装置が映り込むことがなく、露出制御が容易である。
【００３３】
次に、図２、図６〜図８を参照して、撮影システム１の撮影方法、プレビューモニタ１２の表示について説明する。
図６は、第１実施形態のプレビューモニタ１２の斜視図である。
図７、図８は、第１実施形態のプレビューモニタ１２の表示例である。
図６に示すように、プレビューモニタ１２は、表示領域１２ａよりも下側に操作ボタン１２ｂを備えている。この操作ボタン１２ｂの操作に応じて、信号が制御部４０に出力され、制御部４０は、マイク１５への音声入力と同様に、タイマースタート、タイマーストップ、回転左（又は回転右）等の制御を行う。
なお、操作ボタン１２ｂを設ける代わりに、プレビューモニタ１２を、例えば、抵抗皮膜方式、静電容量方式等のタッチパネルとしてもよい。この場合、操作ボタン１２ｂの入力内容と同様が入力ボタンをこのタッチパネルに表示すればよい。
図２に示すように、本実施形態の撮影システム１は、制御部４０が、複数のカメラ１１−１〜１１−２４を同時に駆動させることにより、利用者Ｕの一瞬のポーズを多数のカメラ１１−１〜１１−２４で同時に撮影し、撮影情報を記憶部３５に記憶する。
そして、図７に示すように、制御部４０は、これらの撮影情報を、周方向の左回り又は右回り方向（所定の周方向）の順番にプレビューモニタ１２に順次出力する。これにより、図７に示すように、撮影システム１は、あたかも利用者Ｕが断続的に１５°ずつ回転しているかのように、プレビューモニタ１２に撮影情報を表示することができる（なお、図７では、利用者Ｕの正面、右側面、背面、左側面の表示のみを示し、これらの間の表示は省略している）。このように表示することにより、撮影システム１は、撮影画像を、利用者Ｕを断続的に所定角度ずつ回転し、いわゆるパラパラ漫画のように、面白い態様で表現することができる。このような表示方法を、以下「回転表示」という。利用者Ｕは、プレビューモニタ１２を確認して、所望の撮影情報を取得できたと判断した場合には、図６に示すプレビューモニタ１２の操作ボタン１２ｂを操作して撮影を終了して、後述する落書き作業を行う。
なお、撮影システム１は、操作ボタン１２ｂを設ける代わりに、プレビューモニタ１２をタッチパネルの構成にして、操作ボタン１２ｂと同様な操作ボタンを表示してもよい。
【００３４】
また、制御部４０は、所定の時間差（所定時間）毎に順次カメラ１１を駆動して、各撮影位置の各撮影画像を、周方向の左回り又は右回り方向（所定の周方向）に順番に所定時間毎に撮影してもよい。つまり、制御部４０は、１台のカメラ１１を駆動してから、一定時間経過後にその隣のカメラ１１を順次駆動してもよい。例えば制御部４０が０．１秒間隔でカメラ１１を順次駆動させた場合、２４台分全ての撮影画像のデータを取得するためには、２．４秒の時間を必要とする。この場合、撮影画像のデータには、利用者Ｕの２．４秒間の動作が記録される。そして、撮影システム１は、前述した方法によりプレビューモニタ１２に出力した場合、利用者Ｕが回転動作をしているかのように見せると同時に、利用者Ｕの動作（例えば手の上下動作）を表現することができる。
【００３５】
また、図８に示すように、制御部４０は、プレビューモニタ１２の中央部の領域に利用者Ｕを回転表示し、その上下左右に正面画像、背面画像、左側面の画像、右側面の画像を表示してもよい。この場合、利用者Ｕは、多方向からの写り具合やポーズを同時に確認できるので、撮り直し等の判断をより容易に行うことができる。
【００３６】
次に、図３、図９〜図１１を参照して落書きの方法について説明する。
図９は、第１実施形態の落書き装置２０の落書き用モニタ２１と落書きペン２２とを示す図である。
図１０は、第１実施形態の落書きについて説明する図であり、図１０（ａ）は、落書きデータを説明する図、図１０（ｂ）は、撮影画像に背景画像を追加して出力した例である。
図１１は、撮影画像及び背景画像にさらに落書きのデータを追加して出力した例である。
【００３７】
図９に示すように、利用者Ｕは、落書き装置２０を操作して、予め用意されている文字、記号等から所望のものを選択したり、任意の文字を入力し落書きの内容を決定する。利用者Ｕは、落書きの内容を決定する場合、落書きアイテム選択エリア２１ａの表示を落書きペン２２で選択すればよい。制御部４０は、決定した落書きの内容を落書き用モニタ２１の落書きエリア２１ｂに表示する。さらに制御部４０は、入力された落書きのデータを、図１０（ａ）に示すように、時間経過とともに回転するようなデータに加工する。
【００３８】
一方、制御部４０は、図１０（ｂ）に示すように、撮影画像及び背景画像の情報を合成して、落書き用モニタ２１の撮影データ出力エリア２１ｃに表示する。背景画像は、落書きの処理以前に設定されている。このとき、制御部４０は、撮影画像を前述した回転表示する。
なお、撮影システム１は、落書き処理をした後に背景画像を設定できるようにしてもよく、又はこれらを合成後に背景画像を利用者Ｕが適宜変更できるようにしてもよい。回転表示を確認することにより、利用者Ｕが背景画像の変更を望む場合もあるからである。
そして、図１１に示すように、制御部４０は、加工した落書きのデータと、撮影画像及び背景画像とを合成してプレビューエリア２１ｄに表示する。
これにより、制御部４０は、落書きと利用者Ｕとが一緒に回転しているように表示することができる。利用者Ｕは、プレビューエリア２１ｄの画像を確認して、落書きの書き込み等の作業を終了する場合には、決定ボタン（図示せず）を操作する。あるいは、落書きの書き込み等のために利用者Ｕに与えられている時間（例えば数分間程度）が経過すると、制御部４０が自動的に作業を終了する。
【００３９】
図３に示すように、これに応じて信号が制御部４０に出力され、制御部４０は、落書きの内容を確定して、落書きデータと、撮影情報及び背景画像の情報とを合成して出力するための関連付け用データとを作成し、記憶部３５に一次記憶する。これにより、記憶部３５には、２４方向からの撮影情報に対応した、落書きデータ及び関連付けファイルが生成、記憶される。そして、制御部４０は、通信回路３１を駆動して撮影情報を含むこれらのデータを、サーバ５０へと送信する。
【００４０】
なお、制御部４０は、撮影情報に落書きデータを書き込んだ状態のデータを作成してもよい。つまり、落書きデータ及び撮影情報を関連付けデータを用いて合成して出力するのではなく、落書きデータ及び撮影情報を合成した１つのデータを作成して出力してもよい。この場合、データ容量が小さくできるという効果を有するが、撮影情報自体に落書きデータが書き込まれることになり、利用者Ｕが撮影情報をパーソナルコンピュータ等に取り込んで加工したりすることが困難となる。従って、データの記憶装置や送受信時におけるデータ容量が制限されない場合には、本実施形態の関連付けデータによる方法の方が利便性がよい。
また、撮影画像及び背景画像を１つのデータにするのではなく、撮影画像と背景画像とを合成する関連付けデータを作成してもよい。
【００４１】
サーバ５０がこれらのデータを受信すると、制御部７０が、これらのデータを記憶部６０に記憶する。そして、利用者Ｕの携帯電話機４８からの要求に応じて、記憶していたデータを携帯電話機４８へと送信する。
このようなデータの受け渡しは、例えば、サーバ５０上に撮影情報等を記録した専用のＷＥＢページを作成しておき、携帯電話機４８からＷＥＢページにアクセスがあった場合に、撮影情報等を携帯電話機４８にダウンロードするようにすればよい。
この場合、ＷＥＢページのアドレスの情報を利用者Ｕに容易に伝達するために、撮影終了後に、利用者Ｕが携帯電話機４８のアドレスをサーバ５０に登録できるようにしてもよい。そして、このＷＥＢページのアドレスの情報を添付して電子メールで携帯電話機４８に送信すれば、利用者ＵによるＷＥＢページへのアクセスを容易にすることができる。
携帯電話機４８は、前述したように再生ソフト等が組み込まれているので、前述した落書き装置２０のプレビューエリア２１ｄと同様に、受信データを回転表示等の方法で出力することができる。
なお、サーバ５０は、記憶部６０に記憶したデータを、ＷＥＢ上で公開し、特定または不特定の接続者が閲覧できるようにしてもよい。
【００４２】
図１２は、第１実施形態のカメラ１１の１つを拡大して示す斜視図である。
カメラ１１は、上下方向（つまり光軸Ｏに直交する水平方向の軸回り）、及び左右方向（つまり鉛直方向の軸回り）に回転移動するような駆動機構が設けられており、光軸Ｏの向きを調整することができる。撮影システム１は、例えば利用者Ｕが使用する前に、予め利用者Ｕがいない状態の撮影情報を取得して、カメラ１１の光軸Ｏが、撮影室１０の中心Ｃを向くように調整する。
この調整は、例えば、制御部４０が、使用前の撮影画像を画像処理して対向配置されたカメラ１１の撮影穴１３ａ（図２参照）を識別し、撮影画像の中心と撮影穴１３ａの中心とのズレを算出し、これらの中心が一致するようにカメラ１１の駆動機構を制御することにより行うことができる。
これにより、撮影システム１は、ゲームセンタの管理者等の光軸調整に関するメンテナンスの手間を省くことができる。
また、この駆動機構は、カメラ１１を光軸Ｏ回りに回転移動できる機能を備えていてもよい。これにより、撮影画像の鉛直方向（水平方向）の傾きを調整することができる。鉛直方向（水平方向）の傾きは、制御部４０が、撮影情報に含まれる複数の撮影穴１３ａに基づいて判定すればよい。
【００４３】
以上説明したように、本実施形態の撮影システム１は、複数の撮影位置から撮影した撮影画像を、回転表示する等、プレビューモニタ１２に多様に表示することができる。また、利用者Ｕは、撮影しながら撮影画像を確認でき、撮り直し等の判断を容易に行うことができる。さらに、各撮影画像を回転表示することにより、いわゆるパラパラ漫画のように表示することができ、面白い態様で表現することができる。
また、通信システム１００は、撮影情報を携帯電話機４８に送信可能なので、利用者Ｕは、撮影画像を携帯電話機４８のモニタ４８ａに出力して気軽に楽しむことができる。
【００４４】
（第２実施形態）
次に、本発明を適用した撮影システムの第２実施形態について説明する。
なお、以下の説明及び図面において、前述した第１実施形態と同様の機能を果たす部分には、同一の符号又は末尾に同一の符号を付して、重複する説明を適宜省略する。
図１３は、第２実施形態の撮影室２１０の斜視図である。
本実施形態の撮影システム２００は、撮影室２１０の天井２１０ａが中心Ｃ２（撮影中心）を中心とする半球状に形成され、中心を中心Ｃ２とする水平面の円周上に設置された２４台のカメラ１１と、天井２１０ａに吊り下がるように設置された複数のカメラ２１１とを備えている。カメラ２１１は、光軸が中心Ｃ２を向くように設置されている。
このように、撮影システム２００は、カメラ１１，２１１を立体的に配置することにより、撮影画像を、水平面内の撮影位置からだけではなく、利用者の上方からも撮影することができる。これにより、撮影システム２００は、上方からの撮影情報を含めてプレビューモニタ１２等に表示することができ、より多様な表現をすることができる。
【００４５】
（第３実施形態）
次に、本発明を適用した撮影システムの第３実施形態について説明する。
図１４は、第３実施形態の撮影室３１０の斜視図である。
図１４（ａ）に示すように、撮影室３１０の上部には、クランク機構３２０（撮影機移動部）と、カメラ３３１と、照明部３３２と、移動壁３３３とを備えている。
クランク機構３２０は、撮影室３１０の上部に設けられており、アーム３２１と、円盤３２２と、円盤３２３と、リンク３２４と、モータ３２５とを備えている。
アーム３２１は、その長手方向が水平方向になるように配置され、中心軸Ｃ３を中心に回転可能に設けられている。
円盤３２２は、中心軸Ｃ３を中心に回転可能に設けられている。
円盤３２３は、鉛直方向の中心軸Ｚ３を中心に回転可能に設けられている。円盤３２３は、モータ３２４により回転駆動される。
リンク３２４は、円盤３２２の外縁と円盤３２３と外縁とを接続している。
クランク機構３２０は、モータ３２５の回転にともない円盤３２３を回転させ、リンク３２４を介して回転力を円盤３２２に伝達し、円盤３２２及びアーム３２１を回転させる。
【００４６】
カメラ３３１及び照明部３３２は、アーム３２１の一端に吊り下がるように設置されている。カメラ３３１及び照明部３３２は、アーム３２１の回転にともない回転する。
カメラ３３１は、その光軸Ｏ３が、撮影室３１０の中心軸Ｃ３を向くように設置され、アーム３２１の回転したときにも中心軸Ｃ３上にいる利用者Ｕに常に向けられる。
照明部３３２は、第１実施形態の円形照明１１１Ａ〜１１１Ｄと同様な照明装置である（図５参照）。照明部３３２は、カメラ３３１と一体で回転することにより、撮影時において、利用者Ｕに向けて常に光を発することができる。
【００４７】
移動壁３３３は、カメラ３３１等が設けられている側とは反対側のアーム３２１の一端に吊り下がるように設けられている。移動壁３３３は、第１実施形態の内壁１３を一部切り取ったような形状である。移動壁３３３の大きさは、カメラ３３１の画角をカバーするようになっている。
【００４８】
以上の構成により、図１４（ｂ）に示すように、本実施形態の撮影システムは、モータ３２５の回転にともない、カメラ３３１、照明部３３２及び移動壁の位置関係を維持した状態で一体で回転し、カメラ３３１を複数の撮影位置に移動させることができる。そして、中心軸Ｃ３上にいる利用者Ｕを、１台のカメラ３３１によって、所定の時間差毎に撮影して撮影情報を取得することができる。利用者Ｕは、プレビューモニタ３１２により、撮影画像を確認することができる。
このように、本実施形態の撮影システムは、１台のカメラ３３１を利用して、複数の撮影位置からの撮影情報を取得することができるため、低コストに抑えることができる。
【００４９】
（第４実施形態）
次に、本発明を適用した撮影システムの第４実施形態について説明する。
図１５は、第４実施形態の撮影室４１０の斜視図である。
図１５に示すように、撮影室４１０は、中心軸Ｃ４上に位置する利用者Ｕを載置した状態で、モータ４１２の駆動力により中心軸Ｃ４を中心に回転するターンテーブル４１３を備えている。
また、６台のカメラ４１１−１〜４１１−６が、撮影中心を中心とした鉛直面上の円周上に所定に２５°程度の間隔で配置されている。この円周は、利用者Ｕの頭部付近が中心（撮影中心）であり、カメラ４１１−１〜４１１−６は、その光軸がこの中心に向けた状態で固定されている。
【００５０】
撮影時には、ターンテーブル４１３が回転し、カメラ４１１−１〜４１１−６が所定の時間差毎に利用者Ｕを撮影する。これにより、本実施形態の撮影システムは、中心軸Ｃ４上にいる利用者Ｕを、鉛直面上の複数の角度から、所定の時間差毎に撮影情報を取得することができる。
なお、図示は省略するが、ターンテーブル４１３に同期して回転するプレビューモニタを設けることにより、撮影画像を利用者Ｕに撮影時に視認可能に出力することができる。プレビューモニタの回転機構としては、例えば第３実施形態のクランク機構３２０（図１４参照）を利用することができる。
【００５１】
（第５実施形態）
次に、本発明を適用した撮影システムの第５実施形態について説明する。
図１６は、第５実施形態の撮影システム５００のブロック図である。
第１実施形態の撮影システム１が撮影情報として静止画の情報を扱うものであったのに対して、撮影システム５００は、撮影情報として動画の情報を扱えるようにしたものである。
図１６に示すように、撮影システム５００は、カメラ５１１（５１１−１〜５１１−２４）と、ＮＴＳＣ（National Television Standards Committee）スイッチャ５３０と、制御部５４０と、記憶部５３５等とを備えている。なお、通信回路３１は、第１実施手形態と同様に、通信網４９を介してサーバ、基地局等に接続されているが、ここでは、図示及び詳細な説明を省略する。
【００５２】
カメラ５１１（５１１−１〜５１１−２４）は、撮影情報として動画情報及び静止画を取得できるデジタルカメラである。
ＮＴＳＣスイッチャ５３０は、制御部５４０の制御により動作する。
各カメラ５１１−１〜５１１−２４とＮＴＳＣスイッチャ５３０とは、それぞれビデオケーブル５２２−１〜５２２−２４により電気的に接続され、各カメラ５１１−１〜５１１−２４が取得した動画情報は、ＮＴＳＣスイッチャ５３０にリアルタイムで入力される。
また、ＮＴＳＣスイッチャ５３０と制御部５４０とは、２４本のビデオケーブル５３６−１〜５３６−２４と、ＲＳ２３２Ｃ（Recommended Standard 232C）制御ケーブル５３７とにより電気的に接続されている。２４個のカメラ５１１−１〜５１１−２４が取得した情報は、制御部５４０の制御に応じて、制御部５４０に出力される。
【００５３】
制御部５４０は、撮影システム５００を統括的に制御するための制御部である。
制御部５４０と各カメラ５１１との間は、ＵＳＢケーブル５３７を用いてそれぞれ接続されている。また、制御部５４０は、各カメラ５１１が取得した撮影情報（動画情報及び静止画）を、ＵＳＢケーブル５３７を介して取得して記憶部５３５に逐次保存する。
【００５４】
次に、撮影システム５００の動作について説明する。
利用者が撮影室５１０に内部に入り、マイク１５に撮影開始の命令を音声入力すると、この音声入力に応じて制御部５４０が、処理を開始する。
制御部５４０は、各カメラ５１１のリアルタイムの動画情報をＮＴＳＣスイッチャ５３０を介して取得する。
制御部５４０は、ＮＴＳＣスイッチャ５３０を介して、次の５つの動画情報を取得する。
（１）カメラ５１１−１〜５１１−２４の動画情報を順に切り替えて取得する。
（２）カメラ５１１−１（正面カメラ）の動画情報を常に取得する。
（３）カメラ５１１−７（右側面カメラ）の動画情報を常に取得する。
（４）カメラ５１１−１３（背面カメラ）の動画情報を常に取得する。
（５）カメラ５１１−１９（左側面カメラ）の動画情報を常に取得する。
制御部５４０は、取得した（１）〜（５）の動画情報を、図８に示す「回転表示」、「正面」、「右側面」、「背面」、「左側面」の配置になるように画像処理をして、プレビューモニタ１２に出力する。
【００５５】
これにより、撮影システム５００は、プレビューモニタ１２に、利用者の動画情報をリアルタイムでプレビューすることができる。
なお、撮影システム５００は、落書きや背景画像の情報を合成し、通信回路３１等を介して携帯電話等に送信するための情報として、記憶部５３５に記憶した動画情報を使用することができる。このように、撮影システム５００は、静止画ではなく動画情報を利用することにより、撮影情報の再生時の楽しさを向上することができる。
【００５６】
以上、本発明の実施形態について説明したが、本発明は上述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００５７】
（変形形態）
以上説明した実施形態に限定されることなく、種々の変形や変更が可能であって、それらも本発明の技術的範囲内である。
（１）本実施形態において、撮影情報を通信網を介して携帯電話機に送信する例を示したが、これに限定されない。例えば、撮影システムと携帯電話機とは、無線（赤外線等）通信等により直接撮影情報を送受信してもよい。
【００５８】
（２）本実施形態において、撮影システムは、撮影情報をプレビューモニタ等に表示する例を示したが、これに限定されない。例えば、撮影システムは、複数の撮影情報を羅列して粘着剤付きのシートに印刷して出力してもよい。
【００５９】
（３）本実施形態において、マイクへの音声入力によりカメラ等を制御する例を示したが、これに限定されない。例えば、床に操作装置を設け、利用者が足で操作できる操作部を設け、この操作部によりカメラ等を制御してもよい。
【００６０】
（４）第３実施形態において、カメラが円周上の各撮影位置に配置するためにクランク機構等を用いる例を示したが、これに限定されない。例えば、撮影システムに、円周状のレールと、カメラをこのレールに沿って移動させる駆動機構（撮影機移動部）を設けてもよい。この場合、撮影システムは、カメラを円周上の複数の各撮影位置へと移動させることができるので、カメラの数が少なくても各撮影位置からの撮影情報を取得することができ、コスト削減を図ることができる。
【００６１】
（５）本実施形態において、撮影情報を携帯電話機に送信する例を示したが、これに限定されない。例えば、通信システムは、モニタを備える携帯情報通信端末に撮影情報を送信してもよい。また、通信システムは、利用者が所有するパーソナルコンピュータ等に撮影情報を送信してもよい。この場合、利用者は、編集ソフト等により撮影情報を編集することができるので、撮影情報のより進んだ利用が可能である。
【００６２】
（６）本実施形態において、撮影システムは、複数の撮影位置からの撮影情報を取得する例を示したが、これに限定されない。例えば、撮影位置は固定されていてもよい。この場合にも、撮影システムは、所定時間毎に撮影を行えば、一方向からの撮影情報を所定時間毎に取得することができ、利用者の動作を記録、表示することができる。
【００６３】
（７）本実施形態において、撮影システムは、遊戯施設等に設定される例を示したが、これに限定されない。例えば、撮影システムは、写真館に設置しても、複数の角度からの撮影情報を取得することができる。また、洋服店等に設定すれば、利用者は、複数の角度からの画像をプレビューモニタで視認することができ、試着の確認に便利である。
【符号の説明】
【００６４】
１，２００，５００  撮影システム
１０，２１０，３１０，４１０  撮影室
１１，１１−１〜１１−２４，２１１，３３１,４１１−１〜４１１−６  カメラ
１２  プレビューモニタ
１３  内壁
１３ａ  撮影穴
１５  マイク
２０  落書き装置
２１  落書き用モニタ
２２  落書きペン
３５，５３５  記憶部
４０，５４０  制御部
４８  携帯電話機
５０  サーバ
５１  通信回路
６０  記憶部
７０  制御部
１００  通信システム
１１０  上部照明装置
１２０  下部照明装置
【図１】
0005227473.tif 000002
【図２】
0005227473.tif 000003
【図３】
0005227473.tif 000004
【図４】
0005227473.tif 000005
【図５】
0005227473.tif 000006
【図６】
0005227473.tif 000007
【図７】
0005227473.tif 000008
【図８】
0005227473.tif 000009
【図９】
0005227473.tif 000010
【図１０】
0005227473.tif 000011
【図１１】
0005227473.tif 000012
【図１２】
0005227473.tif 000013
【図１３】
0005227473.tif 000014
【図１４】
0005227473.tif 000015
【図１５】
0005227473.tif 000016
【図１６】
0005227473.tif 000017